(57)【要約】      （修正有）【課題】異なるネットワーク間においても不一致監視機能を正常に機能させられる不一致監視設定システムを提供する。【解決手段】ゲートウェイ装置は、１つ以上の設備機器を制御する１つ以上のコントローラと、コントローラに対し制御設定値を送信する、１つ以上のＨＭＩ（ヒューマンマシンインターフェース）と、通信可能なゲートウェイ装置を備える不一致監視設定システムであって、記憶部、判断部、検出部を備える。記憶部は、ＨＭＩから設備機器に関して設定される設備機器の出力設定値と、設備機器の出力に係る出力値と、に差異があることを監視する不一致監視機能の設定の有無を記憶する。判断部は、出力設定値と出力値とに差異があるかを判断する。検出部は、記憶部に記憶される不一致監視機能が設定されている場合に、判断部での判断結果を検出する。【選択図】図１
2018032996.tif 000002
【特許請求の範囲】
【請求項１】
１つ以上の設備機器を制御する１つ以上のコントローラと、前記コントローラに対し制
御設定値を送信する、１つ以上のＨＭＩと、通信可能なゲートウェイ装置を備える不一致
監視設定システムであって、
前記ＨＭＩから前記設備機器に関して設定される前記設備機器の出力設定値と、前記設
備機器の出力に係る出力値と、に差異があることを監視する不一致監視機能の設定の有無
を記憶する記憶部と、
前記出力設定値と前記出力値とに差異があるかを判断する判断部と、
前記記憶部に記憶される前記不一致監視機能が設定されている場合に、前記判断部での
判断結果を検出する検出部と、
を備える不一致監視設定システム。
【請求項２】
１つ以上の設備機器を制御する１つ以上のコントローラと、前記コントローラに対し制
御設定値を送信する、１つ以上のＨＭＩと、通信可能なゲートウェイ装置を備える不一致
監視設定システムであって、
前記ＨＭＩから前記設備機器に関して設定される前記設備機器の出力設定値と、前記設
備機器の出力に係る出力値と、に差異がある場合、通知する機能である不一致監視機能の
有無を、前記ＨＭＩ毎に設定する設定部と、
前記出力設定値と前記出力値とに差異があるかを判断する判断部と、
設定される前記不一致監視機能が無と設定されている場合に、前記判断部での判断結果
を検出せず、設定される前記不一致監視機能が有と設定されている場合に、前記判断部で
の判断結果を検出する検出部と、
を備える不一致監視設定システム。
【請求項３】
前記設定部は、前記出力設定値を出力する前記ＨＭＩを選定することにより、前記不一
致監視機能の有無を設定する
請求項２に記載の不一致監視設定システム。
【請求項４】
前記検出部が前記出力設定値と前記出力値とに差異があると検出する場合、通知する通
知部を備える
請求項１から３のいずれか一つに記載の不一致監視設定システム。
【請求項５】
１つ以上の設備機器を制御する１つ以上のコントローラと、前記コントローラに対し制
御設定値を送信する、１つ以上のＨＭＩと、通信可能なゲートウェイ装置であって、
前記ＨＭＩから前記設備機器に関して設定される前記設備機器の出力設定値と、前記設
備機器の出力に係る出力値と、に差異がある場合、通知する機能である不一致監視機能の
有無を、前記ＨＭＩ毎に設定する設定部と、
前記出力設定値と前記出力値とに差異があるかを判断する判断部と、
を備えるゲートウェイ装置。
【請求項６】
１つ以上の設備機器を制御する１つ以上のコントローラと、前記コントローラに対し制
御設定値を送信する、１つ以上のＨＭＩと、通信可能なゲートウェイ装置を、
前記ＨＭＩから前記設備機器に関して設定される前記設備機器の出力設定値と、前記設
備機器の出力に係る出力値と、に差異がある場合、通知する機能である不一致監視機能の
有無を、前記ＨＭＩ毎に設定する設定手段と、
前記出力設定値と前記出力値とに差異があるかを判断する判断手段と、
して機能させるための不一致監視設定プログラム。
【請求項７】
１つ以上の設備機器を制御する１つ以上のコントローラと、前記コントローラに対し制
御設定値を送信する、１つ以上のＨＭＩと、通信可能なゲートウェイ装置を用いて、
前記ＨＭＩから前記設備機器に関して設定される前記設備機器の出力設定値と、前記設
備機器の出力に係る出力値と、に差異がある場合、通知する機能である不一致監視機能の
有無を、前記ＨＭＩ毎に設定するステップと、
前記出力設定値と前記出力値とに差異があるかを判断するステップと、
を実行する不一致監視設定方法。
【発明の詳細な説明】
【技術分野】
【０００１】
本発明の実施形態は、不一致監視設定システム、ゲートウェイ装置、不一致監視設定プ
ログラム、及び不一致監視設定方法に関する。
【背景技術】
【０００２】
オフィスビル等の電力を監視するためのシステムにおいて、中央監視装置であるＨＭＩ
（ヒューマンマシンインターフェース）は、多くの設備機器の使用状況の監視あるいは制
御を行っている。新しいシステムの導入のため、設備機器を個別に管理するコントローラ
は更新せず、ＨＭＩのみ新しい装置へ更新する場合がある。
【０００３】
既設のコントローラと新設のＨＭＩの通信プロトコルが異なる場合、通信プロトコルの
変換を行うゲートウェイ装置が必要となる。しかし、機能の統一ができていなかった。そ
の機能の一つに、不一致監視設定機能があげられる。
【０００４】
まず、不一致監視機能とは、ＨＭＩから設備機器に設定する出力設定値と、設備機器が
実際に出力する出力値とが異なる場合に、アラームを発する機能である。これは、出力設
定値と実際の出力値が異なることを防ぐために存在する。
【０００５】
しかし、異なる通信プロトコル間のＨＭＩでは、出力設定値の共有がなされないため、
出力設定値を設定するＨＭＩ以外のＨＭＩでは、出力設定値と実際の出力値が異なるため
、異常にアラームを発してしまうという問題があった。
【先行技術文献】
【特許文献】
【０００６】
【特許文献１】特開２００９―２３９４７８号公報
【発明の概要】
【発明が解決しようとする課題】
【０００７】
不一致監視機能による異常発報を防ぐことが要求されており、この要求に対応できる装
置が望まれている。
【０００８】
本発明の実施形態が解決しようとする課題は、異なるネットワーク間においても不一致
監視機能を正常に機能させられる不一致監視設定システムを提供することである。
【課題を解決するための手段】
【０００９】
上記課題を解決するために、実施形態の不一致監視設定システムは、実施形態のゲート
ウェイ装置は、１つ以上の設備機器を制御する１つ以上のコントローラと、前記コントロ
ーラに対し制御設定値を送信する、１つ以上のＨＭＩと、通信可能なゲートウェイ装置を
備える不一致監視設定システムであって、記憶部、判断部、検出部を備える。記憶部は、
ＨＭＩから前記設備機器に関して設定される前記設備機器の出力設定値と、前記設備機器
の出力に係る出力値と、に差異があることを監視する不一致監視機能の設定の有無を記憶
する。判断部は、出力設定値と出力値とに差異があるかを判断する。検出部は、記憶部に
記憶される前記不一致監視機能が設定されている場合に、前記判断部での判断結果を検出
する。
【図面の簡単な説明】
【００１０】
【図１】本発明の実施形態に係るゲートウェイ装置のシステム構成の具体例を示す図である。
【図２】本発明の実施形態に係るゲートウェイ装置の機能の構成図である。
【図３】本発明の実施形態に係るゲートウェイ装置の機能に関する操作設定画面の一例である。
【図４】本発明の実施形態に係るコントローラの機能の構成図である。
【図５】本発明の実施形態に係る新設ＨＭＩまたは既設ＨＭＩの機能の構成図である。
【図６】本発明の実施形態に係るゲートウェイ装置の運用に関するシーケンス図である。
【図７】本発明の実施形態に係るゲートウェイ装置の運用に関するフローチャートである。
【発明を実施するための形態】
【００１１】
以下、図面を参照して発明を実施するための実施形態について説明する。
【００１２】
（実施形態）
（構成）
図１に本実施形態に係るゲートウェイ装置の全体の不一致監視設定システムの構成の具
体例を示す。不一致監視設定システムは、例えば、新設ＨＭＩ（ヒューマンマシンインタ
ーフェース）２（第２のＨＭＩ）、ゲートウェイ装置１、コントローラ３−１〜３−３、
既設ＨＭＩ５（第１のＨＭＩ）を備える。既設ＨＭＩ５、コントローラ３−１〜３−３、
及び設備機器４−１〜４−３は既設で、新設ＨＭＩ２及びゲートウェイ装置１が新設され
る。
【００１３】
ビルの中央監視室等に設置される既設ＨＭＩ５は、空調機器や照明設備などの設備機器
４−１〜４−３を制御する信号をコントローラ３−１〜３−３に送信する。また、設備機
器４−１〜４−３の状態をコントローラ３−１〜３−３から受信する。その際使用される
ネットワークが第１のネットワークである。
【００１４】
ビルの中央監視室等に設置される新設ＨＭＩ２は、空調機器や照明設備などの設備機器
４−１〜４−３を制御する命令を、ゲートウェイ装置１に送信する。また、設備機器４−
１〜４−３の状態をゲートウェイ装置１から受信する。その際使用されるネットワークが
第２のネットワークである。
【００１５】
ゲートウェイ装置１は、コントローラ３−１〜３−３及び新設ＨＭＩ２と通信を行う。
コントローラ３−１〜３−３と通信する際に使用されるネットワークが第１のネットワー
クである。新設ＨＭＩ２と通信する際に使用されるネットワークが第２のネットワークで
ある。ゲートウェイ装置１は、第１のネットワークと第２のネットワークの境界に位置す
る。ただし、第１のネットワークと第２のネットワークの通信プロトコルは、同一でも異
なっていてもよい。
【００１６】
コントローラ３−１〜３−３は、設備機器４−１〜４−３と通信し、各設備機器を制御
する。コントローラ３−１〜３−３は、各設備機器の制御をするための制御出力信号を設
備機器４−１〜４−３に送信し、また設備機器の現在の状態である状態入力信号を設備機
器４−１〜４−３から受信する。また、コントローラ３−１〜３−３は、状態入力信号が
異常値か否かを判断する。異常値の場合、異常として、上位デバイスに送信する。
【００１７】
不一致監視機能とは、新設ＨＭＩ２あるいは既設ＨＭＩ５から設定される設備機器４−
１〜４−３への出力設定値と、設備機器４−１〜４−３が実際に出力する出力値とが異な
る場合に、アラームを発する機能である。
【００１８】
出力設定値とは、新設ＨＭＩ２または既設ＨＭＩ５が設備機器４−１〜４−３に設定す
る値である。例えば、照明設備に対するＯＮあるいはＯＦＦの設定、調光率の設定、空調
設備に対するＯＮあるいはＯＦＦの設定、設定温度等である。出力値とは、設備機器４−
１〜４−３が実際に出力する値である。
【００１９】
図２に、本実施形態に係るゲートウェイ装置１の構成図の例を示す。ゲートウェイ装置
１は、取得部１１、記憶部１２、設定部１３、判断部１４、出力部１５を備える。
【００２０】
取得部１１は、新設ＨＭＩ２または既設ＨＭＩ５から入力される操作設定を取得する。
また、取得部１１は、新設ＨＭＩ２から出力される出力設定値を取得する。操作設定とは
、設備機器４−１〜４−３の操作制御を、新設ＨＭＩ２のみから行うか、既設ＨＭＩ５の
みから行うか、あるいは両方から行うかの設定である。その操作設定の選択画面の一例を
図３に示す。
【００２１】
図３は、新設ＨＭＩ２または既設ＨＭＩ５での操作設定の選択画面の一例である。例え
ば、「新設ＨＭＩ２」のボタン１１１が選択されると、設備機器４−１〜４−３の操作制
御を、新設ＨＭＩ２のみから行うよう設定される。操作設定は、各設備機器４−１〜４−
３ごとに分けて設定することができる。
【００２２】
「既設ＨＭＩ５」のボタン１１２が選択されると、設備機器４−１〜４−３の操作制御
を、既設ＨＭＩ５のみから行うよう設定される。「両方」のボタン１１３が選択されると
、設備機器４−１〜４−３の操作制御を、新設ＨＭＩ２からでも、既設ＨＭＩ５からでも
行うよう設定される。
【００２３】
記憶部１２は、取得部１１で取得する操作設定及び新設ＨＭＩ２のポイント情報を記憶
する。ポイント情報とは、出力設定値、出力値、及び不一致情報である。ポイント情報は
、コントローラの持つ情報であるが、ゲートウェイ装置１は、新設ＨＭＩ２のコントロー
ラの機能を有するため、新設ＨＭＩ２のポイント情報を記憶する。
【００２４】
例えば、空調機器である設備機器４−１に対し、新設ＨＭＩ２が運転を開始させる出力
設定値を出力する場合、ゲートウェイ装置１が新設ＨＭＩ２のポイント情報を持つ。また
、照明設備である設備機器４−２に対し、既設ＨＭＩ５が点灯させる出力設定値を出力す
る場合、コントローラ３−２が、既設ＨＭＩ５のポイント情報を記憶する。
【００２５】
出力設定値とは、新設ＨＭＩ２または既設ＨＭＩ５が設備機器４−１〜４−３に設定す
る値である。出力値とは、設備機器４−１〜４−３が実際に出力する値である。不一致情
報とは、出力設定値と出力値に差異があるか否かを示す情報である。
【００２６】
設定部１３は、記憶部１２で記憶される操作設定に基づき、操作を行う機器の不一致監
視機能を設定する。例えば、図３において、オペレータにより新設ＨＭＩ２の操作設定が
選択されると、出力設定値が新設ＨＭＩ２からのみ出力されると判断されるため、既設Ｈ
ＭＩ５のポイント情報を有するコントローラ３−１〜３−３の不一致監視機能をＯＦＦに
設定する。
【００２７】
判断部１４は、記憶部１２に記憶されるポイント情報の出力設定値及び出力値に基づき
、出力設定値及び出力値に差異があるかを判断する。判断結果は、記憶部１２に記憶され
るポイント情報の不一致情報に記憶される。判断部は、ゲートウェイ装置１の、新設ＨＭ
Ｉ２のコントローラとしての機能である。コントローラ３−１〜３−３も判断部１４を有
する。
【００２８】
出力部１５は、新設ＨＭＩ２から取得する出力設定値を下位コントローラ３−１〜３−
３へ出力する。また、設定部１３で設定する不一致監視機能の設定をコントローラ３−１
〜３−３に出力する。
【００２９】
図４は、本実施形態に係るコントローラ３−１〜３−３の構成図の一例である。コント
ローラ３−１〜３−３は、取得部３１、記憶部３２、出力部３３、判断部３４を備える。
【００３０】
取得部３１は、ゲートウェイ装置１から出力される出力設定値、設備機器４−１〜４−
３から出力される出力値、及びゲートウェイ装置１から出力される不一致監視機能の設定
を取得する。
【００３１】
記憶部３２は、既設ＨＭＩ５のポイント情報を記憶する。ポイント情報とは、設備機器
４−１〜４−３に出力される制御設定値である出力設定値、設備機器４−１〜４−３の出
力する出力値、及び出力設定値と出力値に差異があるか否かを示す不一致情報である。
【００３２】
出力部３３は、新設ＨＭＩ２から取得する出力設定値を下位コントローラ３−１〜３−
３へ出力する。
【００３３】
判断部３４は、記憶部３２に記憶されるポイント情報の出力設定値及び出力値に基づき
、出力設定値及び出力値に差異があるかを判断する。判断結果は、記憶部１２に記憶され
るポイント情報の不一致情報に記憶される。
【００３４】
図５は、本実施形態に係る新設ＨＭＩ２または既設ＨＭＩ５に共通する機能を示す構成
図の一例である。新設ＨＭＩ２または既設ＨＭＩ５は、取得部２１、記憶部２２、出力部
２３、検出部２４、通知部２５を備える。
【００３５】
取得部２１は、オペレータにより入力される、あるいはデマンドレスポンス等システム
上で入力される、設備機器４−１〜４−３への出力設定値を取得する。
【００３６】
記憶部２２は、ゲートウェイ装置１の設定部１３で設定される、不一致監視機能の有無
の設定を記憶する。不一致監視機能の有無の設定とは、出力設定値と出力値が異なる場合
、アラームを発する機能である不一致監視機能の有無に関する設定である。
【００３７】
出力部２３は、取得部２１で取得する出力設定値を、下位のコントローラあるいはゲー
トウェイ装置１に出力する。
【００３８】
検出部２４は、不一致監視機能が有の場合、ポイント情報の一部である不一致情報を検
出する。つまり検出部２４は、記憶部２２に記憶される不一致監視機能が有の場合、下位
のコントローラあるいはゲートウェイ装置に記憶される不一致情報により、出力設定値と
出力値とに差異があるかを検出する。
【００３９】
通知部２５は、検出部２４の検出する結果に応じて通知を行う。具体的には、通知部２
５は、出力設定値と出力値とに差異があると検出部２４が検出する場合、アラームを発し
て発報する。あるいはメールやポップアップ表示を行うなどして通知を行う。
【００４０】
（作用）
図６に本実施形態の不一致監視機能に係るゲートウェイ装置１、新設ＨＭＩ２、コント
ローラ３−１、設備機器４−１の運用に関するシーケンス図を示す。ただし、コントロー
ラ３−１は、コントローラ３−１〜３−３の代表として示すため、コントローラ３−２，
３−３も同様の動作をする。また、設備機器４−１は、設備機器４−１〜４−３の代表と
して示すため、設備機器４−２，４−３も同様の動作をする。
【００４１】
まず、ゲートウェイ装置１の取得部１１が操作設定を取得する（Ｓ１１１）。操作設定
とは、図３のような、操作する機器を選択する設定である。この設定は、新設ＨＭＩ２か
ら入力されてもよいし、既設ＨＭＩ５から入力されてもよい。例えばここでは、操作設定
として、「新設ＨＭＩ２」が選択される。
【００４２】
次に、ゲートウェイ装置１の設定部１３が、取得する操作設定に基づき、操作する機器
の不一致監視機能の有無を設定する。不一致監視機能の有無の判断基準は、異常発報が起
こる可能性のある機器の不一致監視機能を無にするまたは解除することである。
【００４３】
操作する機器として新設ＨＭＩ２のみが選択され、既設ＨＭＩ５では異常発報が起こる
可能性があるため、不一致監視機能を無に設定する。ゲートウェイ装置１の設定部が、新
設ＨＭＩ２の不一致監視機能を有で設定する（Ｓ１１２）。新設ＨＭＩ２の記憶部２２は
、不一致監視機能を有で記憶する。
【００４４】
また、ゲートウェイ装置１の設定部は、既設ＨＭＩ５の不一致監視機能を無で設定する
（Ｓ１１３）。既設ＨＭＩ５の記憶部２２は、不一致監視機能を無で記憶する。
【００４５】
そして、新設ＨＭＩ２の出力部２３が、設備機器４−１に対して設定する出力設定値を
出力する（Ｓ１１４）。次に、ゲートウェイ装置１の取得部１１が、その出力設定値を取
得する（Ｓ１１５）。取得する出力設定値は、記憶部１２に記憶される。また、出力部１
５が出力設定値をコントローラ３−１に出力する（Ｓ１１６）。その後、コントローラ３
−１の取得部３１が出力設定値を取得する（Ｓ１１７）。また、出力部３３が設備機器４
−１に出力設定値を出力する（Ｓ１１８）。
【００４６】
次に、設備機器４−１が出力設定値を受け、実際に出力する値である出力値で出力する
（Ｓ１１９）。コントローラ３−１の取得部３１がその出力値を取得する（Ｓ１２０）。
取得する出力値は、記憶部３２に記憶される。また、ゲートウェイ装置１の取得部１１も
出力値を取得する（Ｓ１２１）。取得される出力値は、記憶部１２に記憶される。
【００４７】
そして、ゲートウェイ装置１の判断部１４が、取得及び記憶する出力設定値と出力値に
差異があるかを判断する（Ｓ１２２）。判断結果は不一致情報として記憶部１２に記憶さ
れる。同時に、コントローラ３−１の判断部３４が、取得及び記憶する出力設定値と出力
値に差異があるかを判断する（Ｓ１２３）。判断結果は不一致情報として記憶部３２に記
憶される。
【００４８】
次に、新設ＨＭＩ２の記憶部２２に記憶される不一致監視機能は有で記憶されているた
め、新設ＨＭＩ２の検出部２４が、ゲートウェイ装置１の記憶部１２に記憶される不一致
情報を検出する（Ｓ１２４）。つまり、新設ＨＭＩ２の検出部２４は、新設ＨＭＩ２が設
定する出力設定値と、出力値に差異があるかを検出する。差異はないため、新設ＨＭＩ２
の通知部２５は通知しない。
【００４９】
また、既設ＨＭＩ５の記憶部２２に記憶される不一致監視機能は無で記憶されているた
め、既設ＨＭＩ５の検出部２４は、コントローラ３−１の記憶部３２に記憶される不一致
情報を検出しない。これにより、既設ＨＭＩ５の通知部２５は通知せず、不必要な異常発
報を防止できる。
【００５０】
図７に本実施形態に係るゲートウェイ装置の運用に関するフローチャートを示す。
【００５１】
まず、取得部１１が操作設定を取得する（Ｓ１１）。操作設定は、図３の「新設ＨＭＩ
２」「既設ＨＭＩ５」「両方」のいずれかとする。選択される操作設定によりフローが異
なる。
【００５２】
（ｉ）「新設ＨＭＩ２」の操作設定が選択される場合（Ｓ１２）
【００５３】
設定部１３が、既設ＨＭＩ５の不一致監視機能を無で設定する（Ｓ１３）。
【００５４】
（ｉｉ）「既設ＨＭＩ５」の操作設定が選択される場合（Ｓ１４）
【００５５】
設定部１３が、新設ＨＭＩ２の不一致監視機能を無で設定する（Ｓ１５）。
【００５６】
（ｉｉｉ）「両方」の操作設定が選択される場合（Ｓ１６）
【００５７】
設定部１３が、新設ＨＭＩ２不一致監視機能も既設ＨＭＩ５の不一致監視機能も両方無
で設定する（Ｓ１７）。これは、どちらのＨＭＩでも異常発報が起こる可能性があるため
である。
【００５８】
その後、取得部１１は、新設ＨＭＩ２が設定する出力設定値を取得する（Ｓ１８）。取
得する出力設定値は記憶部１２で記憶される。また、出力部１５は、出力設定値を下位の
コントローラへ出力する。そして、取得部１１は、設備機器４−１〜４−３で出力される
出力値を取得する（Ｓ１９）。取得する出力値は記憶部１２で記憶される。最後に、判断
部１４が、記憶部１２に記憶される、新設ＨＭＩ２が設定する出力設定値と、出力値に差
異があるかを判断する（Ｓ２０）。差異がある場合は、記憶部１２に記憶される不一致情
報に、不一致として記憶させる。差異がない場合は、記憶部１２に記憶される不一致情報
に、一致として記憶させる。
【００５９】
（効果）
本実施形態によれば、ＨＭＩ等の操作する上位の装置が２段になっている場合、両方の
装置に不一致監視機能が有ることで異常発報が起こることを防止するため、ゲートウェイ
装置に、それぞれの装置の不一致監視機能の有無を設定する機能を設けることにより、不
一致監視機能による異常発報を防ぐことができる。
【００６０】
なお、本実施形態に係る不一致監視機能では、ゲートウェイ装置１に操作設定として制
御指令をする機器を選択し、操作する機器の設定により不一致監視機能を設定あるいは解
除する。しかし、操作する機器に直接、不一致監視機能の設定を行ってもよい。例えば、
操作する機器として新設ＨＭＩ及び既設ＨＭＩがあり、新設ＨＭＩからのみ操作を行う場
合、新設ＨＭＩの不一致監視機能を有で設定し、既設ＨＭＩの不一致監視機能を無で個別
に設定してもよい。
【００６１】
また、本実施形態に係る不一致監視機能について、新設ＨＭＩ２または新設ＨＭＩ５が
制御する設備機器は、設備機器の種類により制御を出力する出力設定値を出力するＨＭＩ
を分けてもよい。例えば、設備機器の中でも、空調設備は新設ＨＭＩ２が出力設定値を出
力し、照明機器は既設ＨＭＩ５から出力設定値を出力することができる。その際、空調設
備については、既設ＨＭＩ５の不一致監視機能を無、照明設備については、新設ＨＭＩ２
の不一致監視機能を無に設定する。
【００６２】
また、本実施形態に係る新設ＨＭＩ２または既設ＨＭＩ５の構成の検出部２４について
、検出部２４が、新設ＨＭＩ２からゲートウェイ装置１に記憶される不一致情報を検出、
または既設ＨＭＩ５からコントローラ３−１〜３−３に記憶される不一致情報を検出する
だけでなく、ゲートウェイ装置１が、新設ＨＭＩ２に不一致情報を送信、またはコントロ
ーラ３−１〜３−３が、既設ＨＭＩ５に不一致情報を送信することもできる。
【００６３】
また、本実施形態に係る不一致監視機能において、不一致監視機能の有無の設定は、新
設ＨＭＩ２または既設ＨＭＩ５ではなく、ゲートウェイ装置１またはコントローラ３−１
〜３−３が備えてもよい。ゲートウェイ装置１またはコントローラ３−１〜３−３に、不
一致監視機能が無と設定される場合、判断部１４または３４は、不一致情報を判断しなく
てよい。つまり、出力設定値と出力値の差異を判断しなくてよい。
【００６４】
また、本実施形態に係るゲートウェイ装置１及びコントローラ３−１〜３−３の構成に
ついて、判断部１４及び判断部３４は、新設ＨＭＩ２または既設ＨＭＩ５が備えてもよい
。
【００６５】
また、本実施形態に係る新設ＨＭＩ２または既設ＨＭＩ５の通知部２５は、アラームを
発して出力設定値と出力値に差異があることを利用者またはユーザに通知することができ
るし、図示しない表示部に表示させて差異を利用者またはユーザに通知することもできる
。
【００６６】
また、本実施形態に係る異常監視システムにおける既設ＨＭＩ５は、設備機器４−１〜
４−３を制御する出力設定値を、コントローラ３−１〜３−３に送信しなくてもよい。つ
まり、出力設定値を出力するのは新設ＨＭＩ２のみにし、既設ＨＭＩ５は、設備機器４−
１〜４−３の実際の状態である出力値を取得するために使用してもよい。
【００６７】
また、本実施形態に係る不一致監視設定機能において、図３のような操作設定を選択す
る画面では、選択する機器の名前は、自由に変えることができる。例えば、新設ＨＭＩ２
をＨＭＩ−Ａ、既設ＨＭＩ５をＨＭＩ−Ｂと設定することもできる。
【００６８】
また、本実施形態に係る不一致監視設定システムは、図１に記載する構成以外の構成を
含んでいてもよい。また、設備機器及びコントローラは３個に限らず、１つ以上接続する
ことができる。また、コントローラと設備機器との関係は１対１に限らず、１つのコント
ローラに複数の設備機器が接続されていてもよい。
【００６９】
また、本実施形態に係る記憶部１２、記憶部２２、記憶部３２は、それぞれの装置が備
えてもよいし、クラウド上にあってもよい。
【００７０】
また、本実施形態に係る出力設定値及び出力値は、デジタル信号でもアナログ信号でも
よい。例えば、設備機器が空調の場合、制御出力信号及び状態入力信号は、ＯＮあるいは
ＯＦＦのようなデジタル信号でもよいし、２４度などの温度の情報のようなアナログ信号
でもよい。
【００７１】
また、本実施形態に係る不一致監視設定システムについて、コントローラと設備機器の
間にリモートステーション等の機器を介してもよい。また、各機器との通信は、有線だけ
でなく、無線通信で行われてもよい。
【００７２】
また、本実施形態に係る出力値は、設備機器で読み取られる情報でもよいし、設備機器
周辺に設置されるセンサから読み取られる情報でもよい。
【００７３】
本発明のいくつかの実施形態を説明したが、これらの実施形態は、例として提示したも
のであり、発明の範囲を限定することは意図していない。これら新規な実施形態は、その
他の様々な形態で実施されることが可能であり、発明の要旨を逸脱しない範囲で、種々の
省略、置き換え、変更を行うことができる。これら実施形態やその変形は、発明の範囲や
要旨に含まれるとともに、特許請求の範囲に記載された発明とその均等の範囲に含まれる
。
【符号の説明】
【００７４】
１    ゲートウェイ装置
１１  取得部
１２  記憶部
１３  出力部
１４  判断部
１５  設定部
２    新設ＨＭＩ（ヒューマンマシンインターフェース）
２１  取得部
２２  記憶部
２３  出力部
２４  検出部
２５  通知部
３−１〜３−３    コントローラ
３１  取得部
３２  記憶部
３３  出力部
３４  判断部
４−１〜４−３  設備機器
５    既設ＨＭＩ（ヒューマンマシンインターフェース）
【図１】
2018032996.tif 000003
【図２】
2018032996.tif 000004
【図３】
2018032996.tif 000005
【図４】
2018032996.tif 000006
【図５】
2018032996.tif 000007
【図６】
2018032996.tif 000008
【図７】
2018032996.tif 000009